(57)【要約】【課題】測定機器の信号入力器具と太陽電池パネルの出力電線に設置されたコネクタを容易かつ確実に接続する。【解決手段】  第一コネクタ受具１０、第二コネクタ受具２０、第一信号器具受具３１、第二信号器具受具４１と筐体５１からなり、筐体の上面５２に第一コネクタ受具と第二コネクタ受具が取付けられていて、第一コネクタ受具１０は差し込まれるコネクタの係止穴を持たず、第二コネクタ受具２０は篏合するコネクタへの係止突起を持たず、第一コネクタ受具１０と第一信号器具受具３１が第一延出電線３４を通じて電気導通状態にあり、第二コネクタ受具２０と第二信号器具受具４１が第二延出電線４４を通じて電気導通状態にある。【選択図】図１
2019103262.tif 000002
【特許請求の範囲】
【請求項１】
太陽電池パネルの特性を計測する測定機器の信号入力器具と太陽電池パネルの出力電線に設置されたコネクタを連結するための接続箱において、
第一コネクタ受具、第二コネクタ受具、第一信号器具受具、第二信号器具受具と筐体からなり、
筐体は直方体であり、
筐体の上面に上面から突出して第一コネクタ受具と第二コネクタ受具が取付けられていて、
第一コネクタ受具は、拡張台と拡張台の上に載る中空柱状の差込み口を有し、差込み口の内部に第一ターミナルがあり、差込み口の外壁断面輪かく線は差込み口の上端から下端まで同一であって、拡張台は差込み口の外壁断面輪かく線よりも外に拡張した拡張台上面を持ち、拡張台上面は平面であって、差込み口の外壁面は全てが外部環境と接していて
第二コネクタ受具は、基台と基台の上に載る中空柱状の挿入柱を有し、挿入柱の内部に第二ターミナルがあり、基台の上面は挿入柱の外壁断面輪かく線よりも外に拡張した基台上面を持ち、基台上面は平面であって、基台上面は全てが外部環境と接していて、
第一信号器具受具が筐体の側面から導出された第一延出電線の先端に取付けられ、第二信号器具受具が筐体の側面から導出された第二延出電線の先端に取付けられ、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを特徴とする接続箱。
【請求項２】
太陽電池パネルの特性を計測する測定機器の信号入力器具と太陽電池パネルの出力電線に設置されたコネクタを連結するための接続箱において、
第一コネクタ受具、第二コネクタ受具、第一信号器具受具、第二信号器具受具と筐体からなり、
筐体は直方体であり、
筐体の上面に上面から突出して第一コネクタ受具と第二コネクタ受具が取付けられていて、
第一コネクタ受具は、拡張台と拡張台の上に載る中空柱状の差込み口を有し、差込み口の内部に第一ターミナルがあり、差込み口の外壁断面輪かく線は差込み口の上端から下端まで同一であって、拡張台は差込み口の外壁断面輪かく線よりも外に拡張した拡張台上面を持ち、拡張台上面は平面であって、差込み口の外壁面は全てが外部環境と接していて
第二コネクタ受具は、基台と基台の上に載る中空柱状の挿入柱を有し、挿入柱の内部に第二ターミナルがあり、基台の上面は挿入柱の外壁断面輪かく線よりも外に拡張した基台上面を持ち、基台上面は平面であって、基台上面は全てが外部環境と接していて、
第一信号器具受具と第二信号器具受具が筐体の側面に直接取付けられていて、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを
特徴とする接続箱。
【請求項３】
太陽電池パネルの特性を計測する測定機器の信号入力器具と太陽電池パネルの出力電線に設置されたコネクタを連結するための接続箱において、
第一コネクタ受具、第二コネクタ受具、第一信号器具受具、第二信号器具受具と筐体からなり、
筐体は直方体であり、
筐体の上面に上面から突出して第一コネクタ受具と第二コネクタ受具が取付けられていて、
第一コネクタ受具は、拡張台と拡張台の上に載る中空柱状の差込み口を有し、差込み口の内部に第一ターミナルがあり、差込み口の外壁断面輪かく線は差込み口の上端から下端まで同一であって、拡張台は差込み口の外壁断面輪かく線よりも外に拡張した拡張台上面を持ち、拡張台上面は平面であって、差込み口の外壁面は全てが外部環境と接していて
第二コネクタ受具は、基台と基台の上に載る中空柱状の挿入柱を有し、挿入柱の内部に第二ターミナルがあり、基台の上面は挿入柱の外壁断面輪かく線よりも外に拡張した基台上面を持ち、基台上面は平面であって、基台上面は全てが外部環境と接していて、
第一信号器具受具と第二信号器具受具が筐体の上面に直接取付けられていて、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを
特徴とする接続箱。
【請求項４】
第一信号器具受具が、テストリード、テストリードレセプタクル、プラグ又はプラグを受けるソケットであり、第二信号器具受具が第一信号器具受具と同一である請求項１、２、３いずれかに記載した接続箱。
【請求項５】
太陽電池パネルの特性を計測する測定機器の信号入力器具と太陽電池パネルの出力電線に設置されたコネクタを連結するための接続ケーブルにおいて、
第一コネクタ受具、第一結合電線と第一信号器具受具からなる第一接続ケーブルと、
第二コネクタ受具、第二結合電線と第二信号器具受具からなる第二接続ケーブルからなる一対の接続ケーブルであって、
第一結合電線の一方端部に第一コネクタが取付けられ、第一結合電線の他方端部に第一信号器具受具が取付けられていて、
第二結合電線の一方端部に第二コネクタが取付けられ、第二結合電線の他方端部に第二信号器具受具が取付けられていて、
第一コネクタ受具は、拡張台と拡張台の上に載る中空柱状の差込み口を有し、差込み口の内部に第一ターミナルがあり、差込み口の外壁断面輪かく線は差込み口の上端から下端まで同一であって、拡張台は差込み口の外壁断面輪かく線よりも外に拡張した拡張台上面を持ち、拡張台上面は平面であって、差込み口の外壁面は全てが外部環境と接していて
第二コネクタ受具は、基台と基台の上に載る中空柱状の挿入柱を有し、挿入柱の内部に第二ターミナルがあり、基台の上面は挿入柱の外壁断面輪かく線よりも外に拡張した基台上面を持ち、基台上面は平面であって、基台上面は全てが外部環境と接していて、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを
特徴とする一対の接続ケーブル。
【請求項６】
第一信号器具受具が、テストリード、テストリードレセプタクル、プラグ又はプラグを受けるソケットであり、第二信号器具受具が第一信号器具受具と同一である請求項５に記載した一対の接続ケーブル。
【発明の詳細な説明】
【技術分野】
【０００１】
本発明は太陽電池パネルの特性を計測するための接続箱と接続ケーブルに関するものであり、より詳しくは測定機器の信号入力器具と太陽電池パネルの出力電線を連結する接続箱と接続ケーブルに関するものである。
【背景技術】
【０００２】
太陽電池パネルの発電状況をモニタリングするためのＩＶカーブの分析方法が提案されている（例えば特許文献１参照）。
【０００３】
また、従来、太陽電池パネルの保守点検として、ＩＶカーブ測定器やインピーダンス測定器を使って太陽電池ストリングにおける発電の状態やインピーダンスなどの特性を計測している。これらの測定作業は、太陽電池ストリングの出力電線コネクタをパワーコンディショナーの入力端から取り外して、当該コネクタを測定機器の信号入力器具と接触させて行っている。かような測定は、例えば、６月に１回行われる。
【先行技術文献】
【特許文献】
【０００４】
【特許文献１】特開２０１６−９３０４８号公報
【発明の概要】
【発明が解決しようとする課題】
【０００５】
ソケットやテストリード等の信号入力器具を出力電線コネクタに接触させ、計測期間中接触状態を保持することは容易でない。なぜなら、出力電線コネクタはターミナルの露出を避ける構造になっているので、ターミナルに信号入力器具を接触することが難しい。
【０００６】
また、出力電線コネクタと信号入力器具は両者共に固定されていないから、容易に動き、接触状態の保持が困難である。さらに、計測の１項目であるＩＶカーブ測定は太陽電池パネルの発電中に行うので、上記接触は通電下に行う必要があり作業中緊張を強いられる。
【０００７】
そこで、本発明はこれらの困難を解決する接続箱と接続ケーブルを得ることを課題とする。本発明のその他の課題は、本発明の説明により明らかになる。
【課題を解決するための手段】
【０００８】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、後に説明する実施例において個別の部品などを示す場合に、当該数字のあとにアルファベットの添字を付けているものがある。
【０００９】
本発明にかかる第一接続箱は、太陽電池パネルの特性を計測する測定機器６０の信号入力器具と太陽電池パネル７０の出力電線に設置されたコネクタを連結するための接続箱において、
第一コネクタ受具１０、第二コネクタ受具２０、第一信号器具受具３１、第二信号器具受具４１と筐体５１からなり、
筐体は直方体であり、
筐体の上面５２に上面から突出して第一コネクタ受具と第二コネクタ受具が取付けられていて、
第一コネクタ受具１０は、拡張台１２と拡張台の上に載る中空柱状の差込み口１１を有し、差込み口の内部に第一ターミナル１６があり、差込み口の外壁断面輪かく線は差込み口の上端から下端まで同一であって、拡張台は差込み口の外壁断面輪かく線よりも外に拡張した拡張台上面１３を持ち、拡張台上面は平面であって、差込み口の外壁面は全てが外部環境と接していて
第二コネクタ受具２０は、基台２２と基台の上に載る中空柱状の挿入柱２１を有し、挿入柱の内部に第二ターミナル２６があり、基台の上面は挿入柱の外壁断面輪かく線よりも外に拡張した基台上面２３を持ち、基台上面は平面であって、基台上面は全てが外部環境と接していて、
第一信号器具受具３１が筐体の側面５３から導出された第一延出電線３４の先端に取付けられ、第二信号器具受具が筐体の側面から導出された第二延出電線４４の先端に取付けられ、
第一信号器具受具は第三ターミナル３５を有し、第二信号器具受具は第四ターミナル４５を有していて、
第一ターミナルと第三ターミナルが電気導通状態にあり、
第二ターミナルと第四ターミナルが電気導通状態にあることを特徴とする。
【００１０】
本発明にかかる第二接続箱は、太陽電池パネルの特性を計測する測定機器６０の信号入力器具と太陽電池パネル７０の出力電線に設置されたコネクタを連結するための接続箱において、
第一コネクタ受具１０、第二コネクタ受具２０、第一信号器具受具３２、第二信号器具受具４２と筐体５５からなり、
筐体は直方体であり、
筐体の上面５６に上面から突出して第一コネクタ受具と第二コネクタ受具が取付けられていて、
第一コネクタ受具１０は、拡張台１２と拡張台の上に載る中空柱状の差込み口１１を有し、差込み口の内部に第一ターミナル１６があり、差込み口の外壁断面輪かく線は差込み口の上端から下端まで同一であって、拡張台は差込み口の外壁断面輪かく線よりも外に拡張した拡張台上面１３を持ち、拡張台上面は平面であって、差込み口の外壁面は全てが外部環境と接していて
第二コネクタ受具２０は、基台２２と基台の上に載る中空柱状の挿入柱２１を有し、挿入柱の内部に第二ターミナル２６があり、基台の上面は挿入柱の外壁断面輪かく線よりも外に拡張した基台上面２３を持ち、基台上面は平面であって、基台上面は全てが外部環境と接していて、
第一信号器具受具３２と第二信号器具受具４２が筐体の側面５７に直接取付けられていて、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを特徴とする。
【００１１】
本発明にかかる第三接続箱は、太陽電池パネルの特性を計測する測定機器６０の信号入力器具と太陽電池パネル７０の出力電線に設置されたコネクタを連結するための接続箱において、
第一コネクタ受具１０、第二コネクタ受具２０、第一信号器具受具３３、第二信号器具受具４３と筐体５８からなり、
筐体は直方体であり、
筐体の上面５９に上面から突出して第一コネクタ受具と第二コネクタ受具が取付けられていて、
第一コネクタ受具１０は、拡張台１２と拡張台の上に載る中空柱状の差込み口１１を有し、差込み口の内部に第一ターミナルがあり、差込み口の外壁断面輪かく線は差込み口の上端から下端まで同一であって、拡張台は差込み口の外壁断面輪かく線よりも外に拡張した拡張台上面１３を持ち、拡張台上面は平面であって、差込み口の外壁面は全てが外部環境と接していて
第二コネクタ受具２０は、基台２２と基台の上に載る中空柱状の挿入柱２１を有し、挿入柱の内部に第二ターミナルがあり、基台の上面は挿入柱の外壁断面輪かく線よりも外に拡張した基台上面２３を持ち、基台上面は平面であって、基台上面は全てが外部環境と接していて、
第一信号器具受具３３と第二信号器具受具４３が筐体の上面５９に直接取付けられていて、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを特徴とする。
【００１２】
本発明にかかる接続箱の好ましい実施形態にあって、第一信号器具受具が、テストリード、テストリードレセプタクル、プラグ又はプラグを受けるソケットであり、第二信号器具受具が第一信号器具受具と同一であってもよい。
【００１３】
本発明にかかる一対の接続ケーブルは、太陽電池パネルの特性を計測する測定機器６０の信号入力器具と太陽電池パネル７０の出力電線に設置されたコネクタを連結するための接続ケーブルにおいて、
第一コネクタ受具１０、第一結合電線９１と第一信号器具受具３１からなる第一接続ケーブル７と、
第二コネクタ受具２０、第二結合電線９６と第二信号器具受具４１からなる第二接続ケーブル８からなる一対の接続ケーブル６であって、
第一結合電線の一方端部に第一コネクタが取付けられ、第一結合電線の他方端部に第一信号器具受具が取付けられていて、
第二結合電線の一方端部に第二コネクタが取付けられ、第二結合電線の他方端部に第二信号器具受具が取付けられていて、
第一コネクタ受具１０は、拡張台１２と拡張台の上に載る中空柱状の差込み口１１を有し、差込み口の内部に第一ターミナルがあり、差込み口の外壁断面輪かく線は差込み口の上端から下端まで同一であって、拡張台は差込み口の外壁断面輪かく線よりも外に拡張した拡張台上面１３を持ち、拡張台上面は平面であって、差込み口の外壁面は全てが外部環境と接していて
第二コネクタ受具２０は、基台２２と基台の上に載る中空柱状の挿入柱２１を有し、挿入柱の内部に第二ターミナルがあり、基台の上面は挿入柱の外壁断面輪かく線よりも外に拡張した基台上面２３を持ち、基台上面は平面であって、基台上面は全てが外部環境と接していて、
第一信号器具受具は第三ターミナルを有し、第二信号器具受具は第四ターミナルを有していて、
第一ターミナルと第三ターミナルが電気導通状態にあり、
第二ターミナルと第四ターミナルが電気導通状態にあることを特徴とする。
【００１４】
本発明にかかる一対の接続ケーブルにあって、その好ましい実施形態は、第一信号器具受具が、テストリード、テストリードレセプタクル、プラグ又はプラグを受けるソケットであり、第二信号器具受具が第一信号器具受具と同一であってもよい。
【００１５】
以上説明した本発明、本発明の好ましい実施態様、これらに含まれる構成要素は可能な限り組み合わせて実施することができる。
【発明の効果】
【００１６】
本発明にかかる接続箱を使用すれば、測定機器の信号入力器具と太陽電池パネルの出力電線の接触と接触状態の保持が簡単かつ確実となり、測定作業者は測定中に両手を自由に動かすことができる。よって、測定機器の操作等測定作業が楽になり、ひいては作業効率が向上する。
【００１７】
また、第一コネクタ受具と第二コネクタ受具は、接続相手方コネクタの脱落防止を図る係止爪又は係止穴を持たないから、挿抜作業を容易に行うことができる。さらに、接続箱の上面から底面の方向に向かう挿込み時の力を底面で受けることができるので、軽い力で差込みが行える。また、接続箱の底面から上面の方向に向かう引き抜き時の力を表面で受けることができるので、軽い力で引き抜きが行える。
【００１８】
このように接続箱は、間欠的に行い、かつ、短時間で終了する測定作業に相応しい接続箱である。
【００１９】
本発明にかかる接続ケーブルを使用すれば、測定機器の信号入力器具と太陽電池パネルの出力電線の接触と接触状態の保持が簡単かつ確実となり、測定作業者は測定中に両手を自由に動かすことができる。よって、測定機器の操作等測定作業が楽になり、ひいては作業効率が向上する。
【００２０】
また、第一コネクタ受具と第二コネクタ受具は、接続相手方コネクタの脱落防止を図る係止爪又は係止穴を持たないから、挿抜作業を容易に行うことができる。
【００２１】
このように接続ケーブルは、間欠的に行い、かつ、短時間で終了する測定作業に相応しい接続ケーブルである。
【図面の簡単な説明】
【００２２】
【図１】図１は本発明にかかる第一接続箱の斜視図と第一接続箱を使用する太陽電池パネルの特性計測接続の概念図である。（実施例１）
【図２】図２は本発明にかかる第二接続箱の斜視図であり、信号入力器具とコネクタを付加して図示している。（実施例２）
【図３】図３は本発明にかかる第三接続箱の斜視図である。（実施例３）
【図４】図４は本発明にかかる一対の接続ケーブルの平面図である。（実施例４）
【発明を実施するための形態】
【００２３】
以下、図面を参照して本発明の実施例にかかる太陽電池パネル測定機器の接続箱と接続ケーブルをさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２４】
図１は本発明にかかる第一接続箱の斜視図と第一接続箱を使用する太陽電池パネルの特性計測接続の概念図である。図２は本発明にかかる第二接続箱の斜視図であり、信号入力器具とコネクタを付加して図示している。図３は本発明にかかる第三接続箱の斜視図である。図４は本発明にかかる一対の接続ケーブルの平面図である。
【実施例１】
【００２５】
図１を参照して、第一接続箱１は測定機器６０と太陽電池パネル７０を接続する場合に使用する。
【００２６】
太陽電池パネル７０は本実施例では１０枚のモジュールを直列に連結したものである。太陽電池パネル７０は２０枚のモジュールを直列に連結したものであってもよく、１４枚のモジュールを直列に連結したものであってもよく、複数枚のモジュールを直列および／又は並列に連結したものであってもよく、モジュール１枚であってもよい。
【００２７】
太陽電池パネル７０は２本の出力電線７１、７２を持ち、太陽電池パネル７０で発電した電力が出力電線７１、７２を通じて出力される。出力電線７１の先端にはコネクタ嵌７３が設置されている。出力電線７２の先端にはコネクタ挿７６が設置されている。定常運転の発電時に出力電線７１、７２はコネクタ嵌７３とコネクタ挿７６を経由してパワーコンディショナーに連結されている。
【００２８】
測定機器６０は太陽電池パネルの特性を計測する測定機器である。測定機器６０は例えばＩＶカーブ測定器、インピーダンス測定器である。測定機器６０の信号入力器具はテストリードレセプタクル、テストリード、バナナプラグ、その他のプラグ、バナナプラグを受けるソケット、その他のプラグを受けるソケット等である。
【００２９】
本実施例にかかる測定機器６０の信号入力器具は、テストリードレセプタクル６１とテストリードレセプタクル６２である。
【００３０】
第一接続箱１は第一コネクタ受具１０、第二コネクタ受具２０、第一信号器具受具であるテストリード３１と第二信号器具受具であるテストリード４１を有する。
【００３１】
第一筐体５１は直方体であり、上面５２、側面５３と底面８１を有する。第一筐体５１は、例えば、合成樹脂製である。
【００３２】
本発明と本明細書及び図面において、直方体の上面、底面と側面は便宜上の呼び名である。上面と底面は、対面する一対の面をそれぞれ指し示す。側面は上面と交差する面を指し示す。直方体は底面を下に位置付けてもよく、底面を垂直方向に位置付けてもよく、底面を上に位置付けてもよい。
【００３３】
本発明と本明細書及び図面において直方体は６面の長方形からなる幾何学上の定義に合致する直方体のみならず、一部又は全部の辺を平面や曲面とした立体、欠損部分を有する直方体、平面である上面と平面である底面と曲面である側面を有する立体を含むものである。さらに、直方体は、６面中単数の面又は複数の面に補強などの目的で凹凸の太い線形状を有するものも含む。直方体の上面と側面は９０度に交差することが好ましいが、当該角度が８０度〜１００度であってもよく、当該角度が６０度〜１２０度であってもよい。直方体の隣接する２つの側面は、９０度に交差することが好ましいが、当該角度が８０度〜１００度であってもよく、当該角度が６０度〜１２０度であってもよい。
【００３４】
また、本発明と本明細書及び図面において、左右、上下、紙面の表裏なども位置関係を示す便宜上の呼び名である。これらは絶対的な位置関係を示すものではなくて、相対的な位置関係を表す呼び名にすぎない。
【００３５】
第一筐体５１は直方体の各辺が曲面であり、また欠損部分５４を有する直方体である。欠損部分５４は全体の直方体における上面の一辺を含む部分的な直方体である。別の表現をするならば、第一筐体５１は２ケの直方体からなり、各辺を曲面とした立体であると表現することもできる。
【００３６】
第一筐体５１の上面５２に第一コネクタ受具１０と第二コネクタ受具２０が取付けられている。第一コネクタ受具１０と第二コネクタ受具２０はその根もとで筐体に取付けられている。第一コネクタ受具１０と第二コネクタ受具２０は第一筐体５１の上面５２から突出している。
【００３７】
第一コネクタ受具１０は差込み口１１を持ちコネクタ挿７６が差込まれる。差込み口１１の内部にある第一ターミナル１６とコネクタ挿７６のターミナル７９が接触して電気的に連結される。
【００３８】
第二コネクタ受具２０は挿入柱２１を持ちコネクタ嵌７３が差込まれる。挿入柱２１の内部にある第二ターミナル２６とコネクタ篏７３のターミナル７５が接触して電気的に連結される。
【００３９】
第一筐体５１の底面８１は平面である。底面８１はその全面が外部環境と接している。すなわち底面８１に取付け物は無い。
【００４０】
コネクタ挿７６を第一コネクタ受具１０に押込み、コネクタ嵌７３を第二コネクタ受具２０に押込む場合を考える。これら押込み時に作用する力は第一筐体５１の上面５２から底面８１の方向に向かう。底面８１を固定物に接触すれば上記押込みの力をたやすく受け止めることができる。第一筐体５１の底面８１は取付け物が無いから、当該力に対抗する接触を容易に行うことができる。あるいは第一筐体５１の底面８１を掌でたやすく保持することができ、ひいては上記押込みの力をたやすく受け止めることができる。
【００４１】
次に第一コネクタ受具１０と第二コネクタ受具２０の構造を図１、図２と図４を参照して説明する。
【００４２】
第一コネクタ受具１０は拡張台１２を有する。差込み口１１が拡張台１２の上に載っている。差込み口１１の外壁断面輪かく線は差込み口１１の上端１４から下端１５まで同一である。拡張台１２の上面は拡張台上面１３である。拡張台上面１３は差込み口の外壁断面輪かく線よりも外に拡張している。本実施例では、外への拡張部分は２か所あり、断面の中心をはさんで拡張部分が向かい合っている。拡張の態様は、断面円周の一部分が拡がっていてもよく、また、断面円周の全部が拡がっていてもよい。
【００４３】
拡張台上面１３は平面である。ここで差込み口の外壁断面は、差込み口を第一筐体５１の上面に平行な面で切断した切断面である。
【００４４】
差込み口の外壁面はその全てが外部環境と接している。すなわち、第一コネクタ受具１０は、コネクタ挿７６が有する係止突起７８と相互作用する、係止穴を持たない。
【００４５】
また、拡張台上面１３はその全てが外部環境と接している。
【００４６】
第二コネクタ受具２０は基台２２を有する。挿入柱２１が基台２２の上に載っている。挿入柱２１の外壁断面輪かく線は挿入柱２１の上端２４から下端２５まで同一である。基台２２の上面は基台上面２３である。基台上面２３は挿入柱２１の外壁輪かく線よりも外に拡張している。
【００４７】
本実施例では、外への拡張部分は２か所あり、断面の中心をはさんで拡張部分が向かい合っている。拡張の態様は、断面円周の一部分が拡がっていてもよく、また、断面円周の全部が拡がっていてもよい。
【００４８】
基台上面２３は平面である。ここで挿入柱２１の外壁断面は挿入柱を第一筐体５１の上面に平行な面で切断した切断面である。
【００４９】
基台上面２３はその全てが外部環境と接している。すなわち、第二コネクタ受具２０は、コネクタ嵌７３が有する係合穴７４と相互作用する、弾性片及び弾性片に付いた係止突起を持たない。
【００５０】
また、挿入柱２１の外壁面はその全てが外部環境と接している。
【００５１】
第一コネクタ受具１０と第二コネクタ受具２０が係合構造を持たないから、第一コネクタ受具１０とコネクタ挿７６の挿抜及び第二コネクタ受具２０とコネクタ嵌７３の挿抜は単純操作で行うことができ、かつ軽い力で行える。なぜなら、コネクタを係合させるために弾性片を変形させるための力が不必要であり、また、係合を解除するために係止穴から係止突起を取り外す作業も不必要だからである。
【００５２】
定常運転の発電時に、コネクタ嵌７３とコネクタ挿７６はパワーコンディショナーにつながれているものであるから、無人運転かつ過酷な自然環境下で抜け落ちることなきように係止構造を持ち、係止構造が作用して連結されている。一時的なつなぎかえである測定機器に接続する時であってもコネクタ嵌７３とコネクタ挿７６は係止構造を有する。
【００５３】
一方、測定機器を使用する計測作業は、通常有人作業であり、コネクタの連結や脱落は目視が可能である。かつ、測定機器接続は短時間で、被測定太陽電池パネルをつなぎ変えて行われる。だから、第一コネクタ受具１０、第二コネクタ受具２０とコネクタ嵌７３、コネクタ挿７６の挿抜容易性は好都合である。
【００５４】
係合構造の無い第一コネクタ受具１０と第二コネクタ受具２０を有する接続箱を使用することにより、定常運転の発電時と点検測定時における相反する連結の要件をどちらの場合も満足することができる。
【００５５】
第一筐体５１の側面５３から第一延出電線３４と第二延出電線４４が導出されている。第一延出電線３４の先端に第一信号器具受具であるテストリード３１が取付けられている。第二延出電線４４の先端に第二信号器具受具であるテストリード４１が取付けられている。
【００５６】
第一延出電線３４と第二延出電線４４は導線に絶縁被覆したものである。
【００５７】
テストリード３１はキャップで覆われた第三ターミナル３５を有する。テストリード４１はキャップで覆われた第四ターミナル４５を有する。第一ターミナル１６と第三ターミナル３５は第一延出電線３４を通じて電気導通状態にある。必要があれば、第一延出電線３４に加えて、他の電線や板状の導電体（例えば、黄銅板）を通じることもある。
【００５８】
第二ターミナル２６と第四ターミナル４５は第二延出電線４４を通じて電気導通状態にある。必要があれば、第二延出電線４４に加えて、他の電線や板状の導電体（例えば、黄銅板）を通じることもある。
【００５９】
第一信号器具受具は、テストリードレセプタクル、バナナプラグ、その他のプラグ、バナナプラグを受けるソケット、その他のプラグを受けるソケット等であってもよい。第二信号器具受具は、テストリードレセプタクル、バナナプラグ、その他のプラグ、バナナプラグを受けるソケット、その他のプラグを受けるソケット等であってもよい。第一信号器具受具と第二信号器具受具は、接続対象とする測定機器６０の信号入力器具が適合する受具を選択すればよい。
【００６０】
第一信号器具受具と第二信号器具受具は、通常同一である。測定機器６０の一対の信号入力器具が、通常同一だからである。
【００６１】
以上説明した第一接続箱１は、太陽電池パネル１ストリングの測定を一度に行う場合に使用する。
【実施例２】
【００６２】
図２を参照して、第二接続箱２は第二筐体５５を有する。第二筐体５５は直方体である。第二筐体５５の１２の辺とその近辺全てが外に凸の曲面である。第二筐体５５の底面８２は平面である。底面８２はその全面が外部環境と接している。すなわち、底面８２に取付け物は無い。
【００６３】
第二筐体５５の上面５６に第一コネクタ受具１０ａ、１０ｂと第二コネクタ受具２０ａ、２０ｂが取付けられている。第一コネクタ受具１０ａ、１０ｂと第二コネクタ受具２０ａ、２０ｂは筐体の上面５６から突出している。
【００６４】
第一コネクタ受具１０ａ、１０ｂは第一接続箱１における第一コネクタ受具１０と同一である。第二コネクタ受具２０ａ、２０ｂは第一接続箱１における第二コネクタ受具２０と同一である。
【００６５】
第二筐体５５の側面５７に第一信号器具受具であるテストリードレセプタクル３２ａ、３２ｂと、第二信号器具受具であるテストリードレセプタクル４２ａ、４２ｂが取付けられている。テストリードレセプタクル３２ａ、３２ｂとテストリードレセプタクル４２ａ、４２ｂは、側面５７に直接取付けられている。
【００６６】
テストリードレセプタクル３２ａ、３２ｂの内部にそれぞれ第三ターミナルがある。テストリードレセプタクル４２ａ、４２ｂの内部にそれぞれ第四ターミナルがある。
【００６７】
第一コネクタ受具１０ａの第一ターミナルとテストリードレセプタクル３２ａの第三ターミナルが電線により接続されていて、第一ターミナルと第三ターミナルが電気導通状態にある。第一コネクタ受具１０ｂの第一ターミナルとテストリードレセプタクル３２ｂの第三ターミナルが電線により接続されていて、第一ターミナルと第三ターミナルが電気導通状態にある。
【００６８】
第二コネクタ受具２０ａの第二ターミナルとテストリードレセプタクル４２ａの第四ターミナルが電線により接続されていて、第二ターミナルと第四ターミナルが電気導通状態にある。第二コネクタ受具２０ｂの第二ターミナルとテストリードレセプタクル４２ｂの第四ターミナルが電線により接続されていて、第二ターミナルと第四ターミナルが電気導通状態にある。
【００６９】
図２は、各ターミナルと筐体内部にある電線の図示を省略している、
コネクタ嵌７３とコネクタ挿７６は太陽電池パネルの出力電線先端に設置されたコネクタである。テストリード６３とテストリード６４は測定機器から延出された電線の先端に設置された信号入力器具である。
【００７０】
太陽電池パネルの特性測定時に、コネクタ嵌７３とコネクタ挿７６がそれぞれ第二コネクタ受具２０と第一コネクタ受具１０に連結される。また、テストリード６３と６４がそれぞれテストリードレセプタクル３２ａ、４２ａに連結される。
【００７１】
以上説明した第二接続箱２は、二の測定機器を使って太陽電池パネル２ストリングの測定を一度に行う場合に使用する。もっとも、単一の測定機器を使って太陽電池パネル１ストリングの測定を一度に行う場合に使用することもできる。
【実施例３】
【００７２】
図３を参照して、第三接続箱３は第三筐体５８を有する。第三筐体５８は直方体である。第三筐体５８の底面８３は平面である。底面８３はその全面が外部環境と接している。すなわち、底面８３に取付け物は無い。
【００７３】
第三筐体５８の上面５９に第一コネクタ受具１０ｃ、１０ｄ、１０ｅ、１０ｆと第二コネクタ受具２０ｃ、２０ｄ、２０ｅ、２０ｆが取付けられている。第一コネクタ受具１０ｃ、１０ｄ、１０ｅ、１０ｆと第二コネクタ受具２０ｃ、２０ｄ、２０ｅ、２０ｆは筐体の上面５９から突出している。
【００７４】
第一コネクタ受具１０ｃ、１０ｄ、１０ｅ、１０ｆは第一接続箱１における第一コネクタ受具１０と同一である。第二コネクタ受具２０ｃ、２０ｄ、２０ｅ、２０ｆは第一接続箱１における第二コネクタ受具２０と同一である。
【００７５】
第三筐体５８の上面５９に第一信号器具受具であるソケット３３ｃ、３３ｄ、３３ｅ、３３ｆと、第二信号器具受具であるソケット４３ｃ、４３ｄ、４３ｅ、４３ｆが取付けられている。ソケット３３ｃ、３３ｄ、３３ｅ、３３ｆと、４３ｃ、４３ｄ、４３ｅ、４３ｆは第三筐体５８の上面５９に直接取付けられている。
【００７６】
ソケット３３ｃ、３３ｄ、３３ｅ、３３ｆと、ソケット４３ｃ、４３ｄ、４３ｅ、４３ｆはいずれもバナナプラグを受けるソケットである。
【００７７】
ソケット３３ｃ、３３ｄ、３３ｅ、３３ｆの内部にそれぞれ第三ターミナルがある。ソケット４３ｃ、４３ｄ、４３ｅ、４３ｆの内部にそれぞれ第四ターミナルがある。
【００７８】
第一コネクタ受具１０ｃの第一ターミナルとソケット３３ｃの第三ターミナルが電線により接続されていて、第一ターミナルと第三ターミナルが電気導通状態にある。第一コネクタ受具１０ｄの第一ターミナルとソケット３３ｄの第三ターミナルが電線により接続されていて、第一ターミナルと第三ターミナルが電気導通状態にある。第一コネクタ受具１０ｅの第一ターミナルとソケット３３ｅの第三ターミナルが電線により接続されていて、第一ターミナルと第三ターミナルが電気導通状態にある。第一コネクタ受具１０ｆの第一ターミナルとソケット３３ｆの第三ターミナルが電線により接続されていて、第一ターミナルと第三ターミナルが電気導通状態にある。
【００７９】
第二コネクタ受具２０ｃの第二ターミナルとソケット４３ｃの第四ターミナルが電線により接続されていて、第二ターミナルと第四ターミナルが電気導通状態にある。第二コネクタ受具２０ｄの第二ターミナルとソケット４３ｄの第四ターミナルが電線により接続されていて、第二ターミナルと第四ターミナルが電気導通状態にある。第二コネクタ受具２０ｅの第二ターミナルとソケット４３ｅの第四ターミナルが電線により接続されていて、第二ターミナルと第四ターミナルが電気導通状態にある。第二コネクタ受具２０ｆの第二ターミナルとソケット４３ｆの第四ターミナルが電線により接続されていて、第二ターミナルと第四ターミナルが電気導通状態にある。
【００８０】
図３は、各ターミナルと筐体内部にある電線の図示を省略している。
【００８１】
太陽電池パネルの特性測定時に、コネクタ嵌とコネクタ挿がそれぞれ第二コネクタ受具２０と第一コネクタ受具１０に連結される。また、バナナプラグがそれぞれソケットに連結される。
【００８２】
以上説明した第三接続箱３は、４の測定機器を使って太陽電池パネル４ストリングの測定を一度に行う場合に使用する。もっとも、Ｎ個（Ｎは３以下の整数）の測定機器を使って太陽電池パネルＮストリングの測定を一度に行う場合に使用することもできる。
【実施例４】
【００８３】
図４を参照して、一対の接続ケーブル６は第一ケーブル７と第二接続ケーブル８からなる。
【００８４】
第一接続ケーブル７は、第一結合電線９１の一方端部９２に第一コネクタ受具１０ｇが取付けられ、他方端部９３に第一信号器具受具であるテストリード３１が取付けられている。第一コネクタ受具１０ｇの第一ターミナルとテストリード３１の第三ターミナルは第一結合電線９１を経由して電気導通状態にある。
【００８５】
第二接続ケーブル８は、第二結合電線９６の一方端部９７に第二コネクタ受具２０ｇが取付けられ、他方端部９８に第二信号器具受具であるテストリード４１が取付けられている。第二コネクタ受具２０ｇの第二ターミナルとテストリード４１の第四ターミナルは第二結合電線９６を経由して電気導通状態にある。
【００８６】
第一結合電線９１と第二結合電線９６は導線に絶縁被覆したものである。
【００８７】
第一コネクタ受具１０ｇは第一接続箱１における第一コネクタ受具１０と同一である。ただし、第一コネクタ受具１０は台座１７にパネル取付け用構造を持ち、第一コネクタ受具１０は台座１７にパネル取付け用構造を持たない。
【００８８】
第二コネクタ受具２０ｇは第一接続箱１における第二コネクタ受具２０と同一である。ただし、第二コネクタ受具２０は台座２７にパネル取付け用構造を持ち、第二コネクタ受具２０ｇは台座２７にパネル取付け用構造を持たない。
【００８９】
図４は、各ターミナルの図示を省略している。
【００９０】
太陽電池パネル特性測定時に、第一接続ケーブル７の第一コネクタ受具１０ｇに出力電線のコネクタ挿が連結され、テストリード３１が測定機器のテストリードレセプタクルに連結される。また第二接続ケーブル８の第二コネクタ受具２０ｇに出力電線のコネクタ嵌が連結され、テストリード４１が測定機器のテストリードレセプタクルに連結される。
【００９１】
一対の接続ケーブル６にあって、第一コネクタ受具１０ｇと第二コネクタ受具２０ｇを連結して固定してもよい。連結固定する場合の配置は、図４に図示した配置である。すなわち、第一コネクタ受具１０ｇと第二コネクタ受具２０ｇがそれぞれの差込み口１１と挿入柱２１を左右方向にして平行に配置され、上端１４と上端２４が右方向にある配置である。
【００９２】
連結固定手段は例えば２ケの長方形板状体である。当該板状体を、板状体の長手方向を図４の上下方向と一致させて、紙面の表側と裏側に配置して台座１７と台座２７を挟み込む。
【００９３】
連結固定した一対の接続ケーブルはコネクタ嵌やコネクタ挿の挿抜時に接続ケーブルを掌全体でつつみ込んで力を加えることができるので、挿抜がよりいっそう容易に行える効果がある。
【００９４】
以上説明した一対の接続ケーブルは、太陽電池パネルの１ストリングの測定を一度に行う場合に使用する。
【００９５】
以上本発明にかかる実施の形態について図面を参照して詳述してきたが、具体的な構成例はこの一実施の形態に限られるものではなく、本発明の要旨を逸脱しない範囲の設計変更などがあっても本発明に含まれる。
【産業上の利用可能性】
【００９６】
本発明にかかる接続箱は太陽電池パネルの諸特性を計測する測定時に使用される。
【符号の説明】
【００９７】
１    第一接続箱
２    第二接続箱
３    第三接続箱
７    第一接続ケーブル
８    第二接続ケーブル
１０    第一コネクタ受具
１１    差込み口
１２    拡張台
１３    拡張台上面
１４    上端
１５    下端
１６    第一ターミナル
１７    台座
２０    第二コネクタ受具
２１    挿入柱
２２    基台
２３    基台上面
２４    上端
２５    下端
２６    第二ターミナル
２７    台座
３１    第一信号器具受具であるテストリード
３２    第一信号器具受具であるテストリードレセプタクル
３３    第一信号器具受具であるソケット
３４    第一延出電線
３５    第三ターミナル
４１    第二信号器具受具であるテストリード
４２    第二信号器具受具であるテストリードレセプタクル
４３    第二信号器具受具であるソケット
４４    第二延出電線
４５    第四ターミナル
５１    第一筐体
５２    上面
５３    側面
５５    第二筐体
５６    上面
５７    側面
５８    第三筐体
５９    上面
６０    測定機器
７０    太陽電池パネル
７３    コネクタ嵌
７４    係止穴
７６    コネクタ挿
７７    弾性片
７８    係止突起
９１    第一結合電線
９６    第二結合電線
【図１】
2019103262.tif 000003
【図２】
2019103262.tif 000004
【図３】
2019103262.tif 000005
【図４】
2019103262.tif 000006